(57)【要約】【課題】      設定されたユーザの使用目的や使用方法或いは使用環境に応じて設定ユーザによる錠の開閉パターンをより幅広く且つ正確に行えるようにする事ができ、しかも徹底したユーザ管理下で正確な開閉錠が行なえる防犯効果に優れたユーザ認識ロック装置を提供する。【解決手段】  予め設定された特定の鍵を認識する鍵設定認識部ａ５を備え、且つユーザの指紋の設定と認識を行ない得る指紋設定認識部ａ６とユーザの暗証番号の設定と認識を行ない得る暗証番号設定認識部ａ７との少なくとも２以上を備え、前記鍵設定認識部ａ５で設定されている鍵ａ５１と認識されている鍵ａ５１、或いは指紋設定認識部ａ６で設定した指紋と認識された指紋、若しくは暗証番号設定認識部ａ７で設定された暗証番号と認識された暗証番号の１以上の一致又は不一致が確認された場合に開閉錠ができるように構成したものである。【選択図】    図１
2005232945.tif 000002
【特許請求の範囲】
【請求項１】
予め設定された特定の鍵を認識する鍵設定認識部を備え、且つユーザの指紋の設定と認識を行ない得る指紋設定認識部とユーザの暗証番号の設定と認識を行ない得る暗証番号設定認識部との少なくとも２以上を備え、前記鍵設定認識部で設定されている鍵と認識されている鍵、或いは指紋設定認識部で設定した指紋と認識された指紋、若しくは暗証番号設定認識部で設定された暗証番号と認識された暗証番号の１以上の一致又は不一致が確認された場合に開閉錠ができるように構成した事を特徴とするユーザ認識ロック装置。
【請求項２】
予め設定された特定の鍵を認識する鍵設定認識部を備え、且つユーザの指紋の設定と認識を行ない得る指紋設定認識部とユーザの暗証番号の設定と認識を行ない得る暗証番号設定認識部との少なくとも２以上を備えると共に、前記鍵設定認識部で設定されている鍵と認識されている鍵、或いは指紋設定認識部で設定した指紋と認識された指紋、若しくは暗証番号設定認識部で設定された暗証番号と認識された暗証番号の１以上の不一致又は一定時間の経過が認められた場合に自動閉錠するように構成した事を特徴とするユーザ認識ロック装置。
【請求項３】
予め設定された特定の鍵を認識する鍵設定認識部を備え、且つユーザの指紋の設定と認識を行ない得る指紋設定認識部とユーザの暗証番号の設定と認識を行ない得る暗証番号設定認識部との少なくとも２以上を備えると共に、前記鍵設定認識部で設定されている鍵と認識されている鍵、或いは指紋設定認識部で設定した指紋と認識された指紋、若しくは暗証番号設定認識部で設定された暗証番号と認識された暗証番号を比較してその一致を判別する比較判別回路を備え、該比較判別回路での一致又は不一致が確認された場合に開閉錠ができるように構成した事を特徴とするユーザ認識ロック装置。
【請求項４】
前記指紋設定認識部でのユーザの指紋の設定及び解除や暗証番号設定認識部でのユーザの暗証番号の設定及び解除は、前記鍵設定認識部で認識されている鍵と予め設定された特定の鍵とが一致した場合に行う事ができるよう構成した事を特徴とする請求項１乃至請求項３記載のユーザ認識ロック装置。
【請求項５】
前記比較判別回路には、前記鍵設定認識部で認識されている鍵と前記指紋設定認識部で認識されたユーザの指紋と暗証番号設定認識部で認識されたユーザの暗証番号との比較判別による開閉錠手段の２以上の組み合わせを設定した開閉錠選択モードが連係されており、該開閉錠選択モードを任意に選択指定できるよう構成した事を特徴とする請求項３及び請求項４記載のユーザ認識ロック装置。
【請求項６】
前記指紋設定認識部或いは暗証番号設定認識部に不特定ユーザ認識モードが設けられており、該不特定ユーザ認識モードの設定により、前記指紋設定認識部或いは暗証番号設定認識部で設定認識されたユーザ以外の不特定ユーザが判別されても開閉錠ができるように構成した事を特徴とする請求項１乃至請求項５記載のユーザ認識ロック装置。
【請求項７】
前記指紋設定認識部或いは暗証番号設定認識部にユーザ仮認識モードが設けられており、該ユーザ仮認識モードの設定により、前記指紋設定認識部或いは暗証番号設定認識部で設定認識されたユーザ以外の仮ユーザを認識して開閉錠ができるように構成した事を特徴とする請求項１乃至請求項６記載のユーザ認識ロック装置。
【発明の詳細な説明】
【技術分野】
【０００１】  本発明は、設定されたユーザを認識して該設定ユーザによる開閉錠が行えるようにするユーザ認識ロック装置に関するものである。
【背景技術】
【０００２】  従来から、ユーザを個別に認識して判別し、設定認識されているユーザによる錠の開閉を行わせるようにしたユーザ認識ロック装置としては、例えば、特開２００３−１３６４６（特許文献１）に開示されたような指紋認証装置や、特開平０６−２７２４４０号（特許文献２）に開示されたような個人判別装置等がある。【０００３】  特許文献１の指紋認証装置は、ユーザ認識手段として図１２に示すようなユーザ所有の鍵と共にユーザ独自の指紋を併用しているものであるが、該指紋認証装置は、ドアである開閉体１１に鍵が挿入される鍵挿入口１５とユーザの指紋を認識する指紋認識部１４と、錠を開閉する開閉錠１９（電気錠）と、前記ユーザの指紋を記憶する記憶部や該記憶部で記憶されたデータにより錠１９の開閉を制御する制御部とを備えており、鍵と指紋認識部１４とにより、錠１９の開閉をユーザに応じて制御できるようにしている。【０００４】  また、特許文献２の個人判別装置は、ユーザ認識手段として図１３に示すように指紋認識部５と共にキーボタン等から成る暗証番号設定認識部１０が設けられており、ユーザ独自の指紋と暗証番号とにより開閉錠の開閉をユーザに応じて制御するようにしているものである。
【特許文献１】特開２００３−１３６４６公報（第８頁、図１）
【特許文献２】特開平０６−２７２４４０号公報（第５頁、図１）
【発明の開示】
【発明が解決しようとする課題】
【０００５】  ところで、上記従来のような装置では、ユーザ認識手段として指紋と鍵或いはキーボタン等の２つを使用するものであり、そのどちらかにおいて或いは両方共においてユーザの認識が確認されれば開閉錠するものである故、錠の開閉を行なわせるパターンは最高でも３通りしか得られず、ユーザの使用目的や使用方法及び使用環境に対しても幅広く適応できるものではなかった。【０００６】  また従来のような装置では、鍵を紛失してしまったり暗証番号を忘れてしまったりした場合には錠の開閉ができないという問題があり、指紋認識時においては、指表面の状態（冬期などの乾燥した時期では、指が乾燥（特に老人）して指紋の映像が不鮮明で読取り不能となることがある）や、認識部に埃などの異物や汚れ等が付着している場合には、正確な指紋認識ができなくなり、やはり錠の開閉ができなくなるという問題があった。【０００７】  本発明は、上記問題点を解消する為に成されたものであり、設定されるユーザを徹底した管理の下に設定認識できるようにして、設定されたユーザの使用目的や使用方法或いは使用環境に応じて設定ユーザによる錠の開閉パターンをより幅広く且つ正確に行えるようにする事ができ、しかも徹底したユーザ管理下で正確な開閉錠が行なえるユーザ認識ロック装置を提供する事を目的とするものである。
【課題を解決するための手段】
【０００８】  すなわち、本発明のユーザ認識ロック装置は、予め設定された特定の鍵を認識する鍵設定認識部を備え、且つユーザの指紋の設定と認識を行ない得る指紋設定認識部とユーザの暗証番号の設定と認識を行ない得る暗証番号設定認識部との少なくとも２以上を備え、前記鍵認識部で設定されている鍵と認識されている鍵、或いは指紋設定認識部で設定した指紋と認識された指紋、若しくは暗証番号設定認識部で設定された暗証番号と認識された暗証番号の１以上の一致又は不一致が確認された場合に開閉錠ができるように構成した事を特徴とするものである。【０００９】  また、本発明のユーザ認識ロック装置は、予め設定された特定の鍵を認識する鍵設定認識部を備え、且つユーザの指紋の設定と認識を行ない得る指紋設定認識部とユーザの暗証番号の設定と認識を行ない得る暗証番号設定認識部との少なくとも２以上を備えると共に、前記鍵認識部で設定されている鍵と認識されている鍵、或いは指紋設定認識部で設定した指紋と認識された指紋、若しくは暗証番号設定認識部で設定された暗証番号と認識された暗証番号の１以上の不一致又は一定時間の経過が認められた場合に自動閉錠するように構成した事を特徴とするものである。【００１０】  更に、本発明のユーザ認識ロック装置は、予め設定された特定の鍵を認識する鍵設定認識部を備え、且つユーザの指紋の設定と認識を行ない得る指紋設定認識部とユーザの暗証番号の設定と認識を行ない得る暗証番号設定認識部との少なくとも２以上を備えると共に、前記鍵認識部で設定されている鍵と認識されている鍵、或いは指紋設定認識部で設定した指紋と認識された指紋、若しくは暗証番号設定認識部で設定された暗証番号と認識された暗証番号を比較してその一致を判別する比較判別回路を備え、該比較判別回路での一致又は不一致が確認された場合に開閉錠ができるように構成した事を特徴とするものである。【００１１】  更にまた、本発明のユーザ認識ロック装置は、前記指紋設定認識部でのユーザの指紋の設定及び解除や暗証番号設定認識部でのユーザの暗証番号の設定及び解除は、前記鍵認識部で認識されている鍵と予め設定された特定の鍵とが一致した場合に行う事ができるよう構成した事を特徴とするものである。【００１２】  更に本発明のユーザ認識ロック装置は、前記比較判別回路には、前記鍵認識部で認識されている鍵と前記指紋設定認識部で認識されたユーザの指紋と暗証番号設定認識部で認識されたユーザの暗証番号との比較判別による開閉錠手段の２以上の組み合わせを設定した開閉錠選択モードが連係されており、該開閉錠選択モードを任意に選択指定できるよう構成した事を特徴とするものである。【００１３】  また本発明のユーザ認識ロック装置は、前記指紋設定認識部或いは暗証番号設定認識部に不特定ユーザ認識モードが設けられており、該不特定ユーザ認識モードの設定により、前記指紋設定認識部或いは暗証番号設定認識部で設定認識されたユーザ以外の不特定ユーザが判別されても開閉錠ができるように構成した事を特徴とするものである。【００１４】  更にまた本発明のユーザ認識ロック装置は、前記指紋設定認識部或いは暗証番号設定認識部にユーザ仮認識モードが設けられており、該ユーザ仮認識���ードの設定により、前記指紋設定認識部或いは暗証番号設定認識部で設定認識されたユーザ以外の仮ユーザの判別によっても開閉錠ができるように構成した事を特徴とするものである。
【発明の効果】
【００１５】  よって本発明のユーザ認識ロック装置は、特定の鍵を認識する鍵設定認識部とユーザの指紋の設定と認識を行ない得る指紋設定認識部とユーザの暗証番号の設定と認識を行ない得る暗証番号設定認識部との少なくとも２以上を備えている為、三種の認識部の設定を任意に組み合わせる事により四通りの開閉手段が設定でき、また、前記鍵設定認識部で設定されている鍵と認識されている鍵、或いは指紋設定認識部で設定した指紋と認識された指紋、若しくは暗証番号設定認識部で設定された暗証番号と認識された暗証番号の１以上の一致又は不一致が確認された場合に開閉錠ができるように構成している為、三種の認識部での設定と認識による六通りの開閉手段を選択して開閉錠できるものであり、ユーザによるドアや扉等の被開閉部材の使用目的や使用方法或いは使用環境に適応させた幅広い使用が可能となる。【００１６】  また、本発明のユーザ認識ロック装置は、前記鍵設定認識部で設定されている鍵と認識されている鍵、或いは指紋設定認識部で設定した指紋と認識された指紋、若しくは暗証番号設定認識部で設定された暗証番号と認識された暗証番号において、三種の認識部での１以上の設定と認識が不一致になった場合や、三種の認識部での認識が一定時間の経過により行なわれなかった場合に自動閉錠するようにしている為、設定されているユーザ以外の者による開閉錠を阻止する事ができ、開閉錠できるユーザの管理を徹底させる事ができると共に閉錠忘れの場合においても自動閉錠して安全性を高める事ができる。【００１７】  更に、本発明のユーザ認識ロック装置は、前記鍵設定認識部で設定されている鍵と認識されている鍵、或いは指紋設定認識部で設定した指紋と認識された指紋、若しくは暗証番号設定認識部で設定された暗証番号と認識された暗証番号を比較してその一致を判別する比較判別回路を備えており、該比較判別回路での一致又は不一致が確認された場合に開閉錠ができるようにしている為、各認識部での設定とその設定認識を比較判別回路により迅速且つ正確に行なえ、安全な開閉錠を行わせる事ができる。【００１８】  また、本発明のユーザ認識ロック装置は、前記指紋設定認識部でのユーザの指紋の設定及び解除や暗証番号設定認識部でのユーザの暗証番号の設定及び解除を、前記鍵設定認識部で認識されている鍵と予め設定された特定の鍵とが一致した場合に行う事ができるよう構成している為、設定された特定の鍵を有するユーザのみが開閉錠の設定を制御する事ができると共に開閉錠できるユーザの管理を徹底させる事ができ、ユーザによるドアや扉等の被開閉部材の使用目的や使用方法或いは使用環境に適応させた幅広い使用が可能となる。【００１９】  また、本発明のユーザ認識ロック装置は、前記比較判別回路には、前記鍵設定認識部で認識されている鍵と前記指紋設定認識部で認識されたユーザの指紋と暗証番号設定認識部で認識されたユーザの暗証番号との比較判別による開閉錠手段の２以上の組み合わせを設定した開閉錠選択モードが連係されており、該開閉錠選択モードを任意に選択指定できるよう構成している為、鍵と指紋、鍵と暗証番号、指紋と暗証番号、鍵と指紋と暗証番号との四種の開閉錠選択モードを錠の開閉を行なわせるドアや扉��の被開閉部材の使用目的や使用方法或いは使用環境に適応させて適宜に選択使用する事ができる。【００２０】  また、本発明のユーザ認識ロック装置は、前記指紋設定認識部或いは暗証番号設定認識部に不特定ユーザ認識モードが設けられており、該不特定ユーザ認識モードの設定により前記指紋設定認識部或いは暗証番号設定認識部で設定認識されたユーザ以外の不特定ユーザが判別されても開閉錠ができるように構成している為、ドアや扉等の被開閉部材の開閉を不特定のユーザにも一時的に開閉錠できるよう設定する事ができる。【００２１】  また、本発明のユーザ認識ロック装置は、前記指紋設定認識部或いは暗証番号設定認識部にユーザ仮認識モードが設けられており、該ユーザ仮認識モードの設定により、前記指紋設定認識部或いは暗証番号設定認識部で設定認識されたユーザ以外の仮ユーザを認識して開閉錠できるように構成している為、該ユーザ仮認識モードの設定により、指定した仮ユーザにも一時的な開閉錠を可能にする事ができ、ユーザの被開閉部材の使用目的に応じた任意の使用を可能にする事ができる。
【発明を実施するための最良の形態】
【００２２】  以下に、本発明のユーザ認識ロック装置を、図面に示す一実施形態に基づきこれを詳細に説明する。
図１は本発明のユーザ認識ロック装置の一実施形態を示す前方斜視図であり、図２は本発明のユーザ認識ロック装置の一実施形態を示す後方斜視図であり、図３は本発明のユーザ認識ロック装置を開閉体に取り付けた一実施形態を示す前方斜視図であり、図４は本発明のユーザ認識ロック装置を開閉体に取り付けた一実施形態を示す正面図であり、図５は本発明のユーザ認識ロック装置を取り付けた開閉体の開閉動作を示す一実施形態を示す前方斜視図であり、図６は本発明のユーザ認識ロック装置のボタン蓋を開蓋状態の一実施形態を示す正面図であり、図７は本発明のユーザ認識ロック装置の電源蓋を開蓋状態の一実施形態を示す背面図であり、図８は本発明のユーザ認識ロック装置の鍵設定認識部に関する一実施形態を示す説明図であり、図９は本発明のユーザ認識ロック装置の指紋設定認識部に関する一実施形態を示す説明図であり、図１０は本発明のユーザ認識ロック装置の暗証番号設定認識部に関する一実施形態を示す説明図であり、図１１は本発明のユーザ認識ロック装置の一実施形態を示す回路図であり、図１２及び図１３は従来技術図面である。【００２３】  すなわち、本発明のユーザ認識ロック装置ａ１は、図１及び図２の実施形態で示したように、外側構成体ａ２と内側構成体ａ３とを連結部ａ２１を介して一体構成するものであり、図３に示す如く、非開閉体ｂ２に対して回転軸部ｂ１１にて開閉自在な開閉体ｂ１の外側面にユーザ認識ロック装置ａ１の外側構成体ａ２が位置するよう配設し、開閉体ｂ１の非開閉体ｂ２側に穿設した連結部嵌入口ｂ１２に嵌入した連結部ａ２１を介して開閉体ｂ１の裏面側にユーザ認識ロック装置ａ１の内側構成体ａ３を取り付けて使用するものである。【００２４】  図３及び図４に示すように前記内側構成体ａ３の片側には、前記開閉体ｂ１の前記非開閉体ｂ２に対する係止状態と非係止状態とを可能とする開閉体係止部ａ４を備えており、該開閉体係止部ａ４は、その上段、中段、下段の夫々に非開閉体ｂ２に対して開閉体ｂ１が開状態か閉状態かを感知する感知センサａ４１と、非開閉体ｂ２に対する開閉体ｂ１の開閉錠であるスライド型のデッドボルトａ４２と、手動にて開閉体ｂ１の非開閉体ｂ２に対する係止状態と非係止状態を可能とするラッチボルトａ４４とから構成しており、開閉体ｂ１側の非開閉体ｂ２の側面に配備した係止部受体ｂ２１の挿入穴部ｂ２１１にデッドボルトａ４２またはラッチボルトａ４４を移動挿入して、開閉体ｂ１は非開閉体ｂ２に対して係止状態となる。【００２５】  図面では、前記ラッチボルトａ４４の前記非開閉体ｂ２側の先端部は、開状態である前記開閉体ｂ１が非開閉体ｂ２に向かう側の面が先細り状に丸みを帯びた曲面をなし、その反対側が平坦な係止面となっていると共に、その内部に押しバネ（図示せず）を備えた構成である為、非開閉体ｂ２に向かって開状態である開閉体ｂ１が閉じる際、まずラッチボルトａ４４の先端部の曲面が、押しバネを開閉体ｂ１に向かって漸進的に押しつつ前記係止部受体ｂ２１の開閉体ｂ１側に設けた当接部ｂ２１２上を押圧滑動した後、ラッチボルトａ４４の先端部が前記挿入穴部ｂ２１１に差し掛かると共に押しバネの付勢が開放されてラッチボルトａ４４は挿入穴部ｂ２１１内部へ挿入移動する。また、図面では挿入穴部ｂ２１１内部へ挿入したラッチボルトａ４４により、その先端部にある係止面を閉状態である開閉体ｂ１が非開閉体ｂ２から遠ざかる側の面に設けられている為、開閉体ｂ１は非開閉体ｂ２から開状態になるのを抑制される事になる。【００２６】  前記デッドボルトａ４２は電源によって回転するモータ（図示せず）等を使用した電動駆動するデッドボルト駆動部ａ４３にてスライド作動するようにしており、図１１に示す制御記憶部ａ８にて該モータの回転を制御しているのである。【００２７】  更に、図２及び図７に示すように前記内側構成体ａ３側から前記開閉体ｂ１の開錠を任意に行うために電動にて前記デッドボルトａ４２を作動可能とする電動開閉ボタンａ３５を備えているのだが、前記内側構成体ａ３の内側ハンドルａ３１の回動中心部に回動可能に設けられた手動開閉つまみａ３４が設けられているので、デッドボルト駆動部ａ４３を手動で作動させる事も可能であり、電源が切れた場合においても開閉錠する事ができるようにしている。【００２８】  尚、電源として図７に示すような前記内側構成体ａ３上部に上下スライド開閉可能に設けた電源蓋ａ３２内部に設置したバッテリーケースａ３３内に納置した乾電池または充電式バッテリー等を実施形態として採用しているが、他にも家庭用電源から送電される電気や太陽光発電にて得る電気にて作動させてもよく、また、前記制御記憶部ａ８により一定時間経過後に自動的に電源が切れるようにしてもよい。【００２９】  また、前記制御記憶部ａ８に音により電力状況を報知する前記音報知機能を付与する事により、例えば該音報知機能により電池交換やバッテリー充電必要時等に警告する事もできる。【００３０】  前記感知センサａ４１は、内部に前記係止部受体ｂ２１の前記開閉体ｂ１側表面に設けた前記当接部ｂ２１２に対する当接または非当接を感知する押しバネ（図示せず）を備えており、当接部ｂ２１２に当接して押しバネが開閉体ｂ１に向かって押されると、感知センサａ４１は非開閉体ｂ２に対して開閉体ｂ１が閉状態である事を感知し、また、当接部ｂ２１２に対して感知センサａ４１が非当接であれば、非開閉体ｂ２に対して開閉体ｂ１が開状態である事を感知するものであり、該感知センサａ４１が非開閉体ｂ２に対して開閉体ｂ１が閉状態である事を感知した場合には、前記デッドボルト駆動部ａ４３を作動させて前記デッドボルトａ４２にて自動閉錠する事ができる。【００３１】  尚、図面に示す実施形態では、この自動閉錠を前記内側構成体ａ３の前記電源蓋ａ３２を開けて、その正面にあるバッテリーケースａ３３下右部に隣接配置させたモード切替スイッチａ３７によっても切り替えて解除する事ができるようにしたものを例示している。【００３２】  また、前記感知センサａ４１は、前記音報知機能とも連係させて、感知センサａ４１が非開閉体ｂ２に対して開閉体ｂ１が開状態である事を感知したり開閉体係止部ａ４における異常が生じたりした場合等にも音によりその警告を発するように設定する事もできる。【００３３】  前記実施形態で示したラッチボルトａ４４は、前記外側構成体ａ２の下部に設けられた外側ハンドルａ２２及び前記裏側ハンドルと��に連動するよう構成しているので、図５に示す如く外側ハンドルａ２２或いは内側ハンドルａ３１を回動操作する事により、前記非開閉体ｂ２に対する前記開閉体ｂ１の係止状態と非係止状態とを適宜に設定する事ができる。【００３４】  而して、本発明のユーザ認識ロック装置ａ１には、図１及び図８乃至図１１に示すように外側構成体ａ２の下部に設けた鍵によって設定と認識を行ない得る鍵設定認識部ａ５（ユーザ認識手段）と、外側構成体ａ２の中部に設けた指紋によって設定と認識を行ない得る指紋設定認識部ａ６（ユーザ認識手段）と、外側構成体ａ２の上部に設けた暗証番号によって設定と認識を行ない得る暗証番号設定認識部ａ７（ユーザ認識手段）とを備えている。【００３５】  また、前記鍵設定認識部ａ５と前記指紋設定認識部ａ６と前記暗証番号設定認識部ａ７とは、夫々インターフェイス回路ａ９を介して前記制御記憶部ａ８に連繋させており、鍵設定認識部ａ５と指紋設定認識部ａ６と暗証番号設定認識部ａ７の夫々が前記制御記憶部ａ８を介して前記デッドボルトａ４２を作動制御するようにしている。【００３６】  前記制御記憶部ａ８には、前記鍵設定認識部ａ５において設定されている鍵と認識されている鍵、或いは、前記指紋設定認識部ａ６において設定した指紋と認識された指紋、若しくは前記暗証番号設定認識部ａ７において設定された暗証番号と認識された暗証番号を夫々比較してその一致を判別する比較判別回路ａ８１が設けられている。【００３７】  前記鍵設定認識部ａ５は、図８に示すように予め鍵設定認識部ａ５にて設定された特定の鍵ａ５１を前記外側ハンドルａ２２の回動中心部に設けられた鍵挿入口ａ５２に挿入する事によりその形状や凹凸或いは磁力を認識させ、鍵ａ５１が鍵設定認識部ａ５にて設定されている鍵とその認識結果が前記比較判別回路ａ８１で一致すれば、前記デッドボルトａ４２を作動し、不一致であればデッドボルトａ４２を作動しないようにしている。【００３８】  すなわち、前記鍵設定認識部ａ５における認識は、設定されている前記鍵ａ５１の形状や凹凸或いは磁力を認識するものであり、これら設定されている鍵ａ５１との認識結果を前記比較判別回路ａ８１で比較判別するのである。【００３９】  よって、これら認識結果に基づいて、電動により前記デッドボルトａ４２を可動するようにする事もでき、また手動にて鍵ａ５１を回動するだけで開閉錠を行わせる事ができるのである。【００４０】  尚、鍵ａ５１に磁気や光記録メモリー、ＩＣメモリー等を使用したデータ読取り部（図示せず）を設けた場合には、該データが比較判別回路ａ８１により比較判別し、設定しているデータとの認識結果との一致を確認した後、制御記憶部ａ８を介してデッドボルトａ４２を電動により作動する事ができる。【００４１】  また、図８に示す実施形態では、鍵ａ５１の鍵挿入口ａ５２の表面に、鍵ａ５１の外部から細塵等の侵入を防止すると共に美観を生じさせるための鍵口蓋ａ５３を開閉自在に設けたものを例示している。【００４２】  前記指紋設定認識部ａ６は、ユーザの指紋の設定と認識を行なうために指を接触するための指接面部ａ６１と、該指接面部ａ６１にて指紋を認識する事を実行開始するための指紋入力開始ボタンａ��２を備えている。【００４３】  前記指紋設定認識部ａ６にユーザの指紋を設定する場合、まず図７に示すように前記内側構成体ａ３の上部にある電源蓋ａ３２を上方にスライドさせながら開け、前記バッテリーケースａ３３下左部に隣接配置するメニューボタンａ３６を押す。次に、図６に示すように前記外側構成体ａ２の上部に上下に摺動させてボタン蓋ａ２３を開いた後、夫々表面に配設された０乃至９の数字キーａ７１１とシャープキーａ７１２及びアスタリスクキーａ７１３とを有し、前記制御記憶部ａ８にて制御記憶されたキーボタンａ７１を操作して設定を完了させるのである。具体的には、例えばシャープキーａ７１２を押した後、図９に示したように前記指接面部ａ６１に指を当接させるだけでユーザの指紋の設定を完了させる事ができる。【００４４】  尚、前記指接面部ａ６１には、必要に応じて指紋設定をテスト確認する指紋テスト機能やバックライト機能を付与しておく事もでき、これらの機能を設けておく事により、ユーザの指紋設定確認や暗い状況下での利便性を向上させる事ができる。【００４５】  更に、前記指接面部ａ６１に、接触認知音を報知する音報知機能（図示せず）を前記制御記憶部ａ８に加えたり、指接面部ａ６１での接触不認知音を発生させるように設定したりする事で、指紋設定をより確実なものにする事ができる。【００４６】  指紋により前記指紋設定認識部ａ６にて設定したユーザが閉錠した前記開閉体ｂ１を外側構成体ａ２側から前記デッドボルトａ４２を作動して開錠したい場合には、先ず、前記指接面部ａ６１の上部に設けた指紋入力開始ボタンａ６２を押した後、指を指接面部ａ６１に接触させる事により指紋の認識を行ない、ユーザの指紋が指紋設定認識部ａ６にて予め設定されている指紋との一致を前記比較判別回路ａ８１により判別確認された場合に前記デッドボルトａ４２を開錠される。【００４７】  しかし、ユーザの指紋が指紋設定認識部ａ６にて予め設定されている指紋と不一致であると判定された場合には、前記デッドボルトａ４２は作動せず閉錠を維持したままの状態となる。【００４８】  尚、上記ユーザの指紋と指紋設定認識部ａ６にて予め設定されている指紋とが一致する場合と不一致の場合とで異なる音を発生させるように設定しておく事ができ、この設定により、例えば、指紋設定認識部ａ６にて予め設定されている指紋とユーザの指紋とが一致した場合には快適な一致確認音を発生し、不一致の場合には警告音を発生するようにし、周囲に対する防犯効果をもたらすようにする事ができる。【００４９】  前記指紋設定認識部ａ６にて設定したユーザがその設定を解除する場合は、前記メニューボタンａ３６を押してから前記数字キーａ７１１のシャープキーａ７１２を押し、前記指接面部ａ６１に指を接触して認識させる事により解除する事ができる。尚、指接面部ａ６１での接触認知成功時と不成功時とでは異なる音を前記音報知機能により発するようにしておく事で、設定されている指紋の解除をより確実なものとする事ができる。【００５０】  次に、前記暗証番号設定認識部ａ７は、前記キーボタンａ７１にある前記数字キーａ７１１や前記シャープキーａ７１２及び前記アスタリスクキーａ７１３を用いる事によってユー���の暗証番号の設定と認識を行なうよう構成している。【００５１】  前記暗証番号設定認識部ａ７にユーザの暗証番号を設定する場合は、前記メニューボタンａ３６を押してから前記アスタリスクキーａ７１３を押し、次に暗証番号を入力した後再度アスタリスクキーａ７１３を押す事で設定を終了する。【００５２】  尚、前記キーボタンａ７１の内側から発光する高輝度発光ＬＥＤ等を採用するならば、暗い状況の下でもキーボタンａ７１を確実に押す事ができる。【００５３】  また、前記アスタリスクキーａ７１３を押してから入力した暗証番号を再度確認のために入力する再入力機能や、またユーザの暗証番号の設定成功時と不成功時とでは異なる音を前記音報知機能にて報知させるようにしておく事で暗証番号設定をより確実なものとする事ができる。【００５４】  更に、暗証番号の設定において、設定最小桁数を４桁とし、設定最大桁数を２０桁程度まで設定できるようにしておく事で、開閉錠の開閉管理を強くしたり弱くしたりする事も可能になる。【００５５】  前記暗証番号設定認識部ａ７にて暗証番号を設定したユーザが、前記デッドボルトａ４２によって閉錠した前記開閉体ｂ１を外側構成体ａ２側から開錠したい場合には、先ず、前記アスタリスクキーａ７１３を押した後前記数字キーａ７１１にてユーザの暗証番号を入力し、次にアスタリスクキーａ７１３を押してユーザの暗証番号を認識させる。【００５６】  そして、ユーザの暗証番号が暗証番号設定認識部ａ７にて予め設定されている暗証番号との一致を前記比較判別回路ａ８１により判別確認された場合に、前記デッドボルトａ４２が作動して開錠する事になる。しかし、暗証番号が不一致であると判別された場合にはデッドボルトａ４２を作動せず、閉錠を維持した状態となる。【００５７】  尚、前述と同様に、暗証番号設定認識部ａ７にて予め設定されている暗証番号とユーザの暗証番号の認識とが一致する場合と不一致の場合とで、前記音報知機能にて異なる音を発生させるように設定しておく事で周囲に対する防犯効果をもたらすようにする事ができる。【００５８】  また、前記暗証番号設定認識部ａ７にて設定したユーザがその暗証番号設定を解除する場合は、前記メニューボタンａ３６を押してから、前記数字キーａ７１１の前記アスタリスクキーａ７１３を押した後暗証番号設定認識部ａ７にて設定されている暗証番号を前記数字キーａ７１１にて入力し、次にアスタリスクキーａ７１３を押して認識させる事により解除が完了する。【００５９】  尚、これにおいても、暗証番号設定認識部ａ７での設定されている暗証番号の認識成功時と不成功時とでは異なる音を前記音報知機能により発するようにして、設定されている指紋の解除をより確実なものとする事ができる。【００６０】  本発明のユーザ認識ロック装置ａ１は、前記鍵設定認識部ａ５で設定されている鍵と認識されている鍵、或いは指紋設定認識部ａ６で設定した指紋と認識された指紋、若しくは暗証番号設定認識部ａ７で設定された暗証番号と認識された暗証番号の１以上の不一致又は一定時間の経過が認められた場合に自動閉錠するようにしており、その制御は前記制御記憶部ａ８により一定時間のカウント終了後、前記デッドボルトａ４２を作動させ��自動閉錠させて、不測の侵入者による開錠を防止できるようにして安全性を高めている。【００６１】  また、本発明のユーザ認識ロック装置ａ１は、前記指紋設定認識部ａ６でのユーザの指紋の設定及び解除や暗証番号設定認識部ａ７でのユーザの暗証番号の設定及び解除は、前記鍵設定認識部ａ５で認識されている鍵と予め設定された特定の鍵とが一致した場合に行う事ができるようして、鍵を所持するメインのユーザのみがその設定や解除を行う事ができるようにして、他のユーザによるいたずらや犯罪を防止して安全性を高めるようにしている。【００６２】  すなわち、指紋により前記指紋設定認識部ａ６にて設定したユーザ或いは暗証番号により前記暗証番号設定認識部ａ７にて設定したユーザが、前記デッドボルトａ４２にて閉錠した前記開閉体ｂ１を外側構成体ａ２側から開錠したい場合は、先ず、前記鍵設定認識部ａ５の前記鍵挿入口ａ５２に前記鍵ａ５１を挿入する事により認識させる。【００６３】  そして、鍵ａ５１が鍵設定認識部ａ５にて設定されている鍵ａ５１と前記比較判別回路ａ８１により比較判別の一致を確認した後、指紋設定認識部ａ６にて或いは暗証番号設定認識部ａ７によってその指紋或いは暗証番号の認識を夫々行い、指紋設定認識部ａ６或いは暗証番号設定認識部ａ７での認識時に比較判別回路ａ８１で比較判別されてその一致を確認した場合に、前記デッドボルトａ４２は作動して開錠する事ができる。【００６４】  この場合、指紋設定認識部ａ６と暗証番号設定認識部ａ７の何れか一の一致を判別するものではなく、夫々双方の一致に至らなければデッドボルトａ４２を作動しないようにする事もできる。【００６５】  更に前記指紋設定認識部ａ６にて設定したユーザ或いは前記暗証番号設定認識部ａ７にて設定したユーザがその設定を解除する場合は、まず前記鍵挿入口ａ５２に前記鍵ａ５１を挿入する事により設定された鍵ａ５１と同一であるかどうかを認識させ、次いで上述した方法で設定されている指紋、或いは暗証番号を解除すれば良い。【００６６】  尚、前記鍵ａ５１が前記鍵設定認識部ａ５にて設定されている鍵ａ５１と前記比較判別回路ａ８１により同一である事を比較判別し、一致した場合と不一致の場合とでは異なる音を前記音報知機能により発するようにして、鍵ａ５１が前記鍵設定認識部ａ５にて認識した事を確認したり不測の侵入者を認識したりさせる事ができ、防犯効果を高めるようにする事ができる。【００６７】  また、本発明のユーザ認識ロック装置ａ１は、前記比較判別回路ａ８１に、前記鍵設定認識部ａ５で認識されている鍵と前記指紋設定認識部ａ６で認識されたユーザの指紋と暗証番号設定認識部ａ７で認識されたユーザの暗証番号との比較判別による開閉錠を、少なくとも２以上の組み合わせを設定した開閉錠選択モードが連係されており、該開閉錠選択モードを任意に選択指定できるようにしており、ユーザの使用目的に応じて適宜にその設定を変更する事ができるようにしている。【００６８】  図７の実施形態では、前記開閉錠選択モードを起動させるか否かの選択を、前記内側構成体ａ３の前記電源蓋ａ３２を開けた前記バッテリーケースａ３３下右部に隣接配置する前記モード切替スイッチａ３７にて行う事ができるよ���にした場合を例示している。【００６９】  また、前記開閉錠選択モードの各種モード選択として、前記キーボタンａ７１の前記数字キーａ７１１の「１」乃至「３」のキー入力により選択できるようにする事もでき、例えば、数字キーａ７１１の「１」には、前記鍵設定認識部ａ５で認識されている鍵と前記指紋設定認識部ａ６で認識されたユーザの指紋との夫々における比較判別が共に一致を確認した場合に開閉錠するように割り当て、数字キーａ７１１の「２」には、鍵設定認識部ａ５で認識されている鍵と暗証番号設定認識部ａ７で認識されたユーザの暗証番号との夫々における比較判別が共に一致を確認した場合開閉錠するように割り当て、数字キーａ７１１の「３」には、前記指紋設定認識部ａ６で認識されたユーザの指紋と暗証番号設定認識部ａ７で認識されたユーザの暗証番号との夫々における比較判別が共に一致を確認した場合開開閉錠するよう割り当てるようにする事で開閉錠選択モードの選択指定を行わせるようにする事ができるのである。【００７０】  前記キーボタンａ７１の前記数字キーａ７１１の「１」乃至「３」のキー入力により、前記各種モード選択できるようにした場合には、例えば、先ず前記メニューボタンａ３６を押してから前記数字キーａ７１１のうち「１」或いは「２」、若しくは「３」の何れかを押して所望する開閉錠選択モードの各種モードを選択し、次に前記シャープキーａ７１２を押して開閉錠選択モードの選択指定を完了させる事ができる。【００７１】  尚、入力した開閉錠選択モードを再確認のための再入力機能を設けて再入力時の成功と不成功を異なる発生音で報知させるようにしたり、錠開閉の成功と不成功の報知を異なる発生音によって知らせるようにする事もでき、このような音報知機能によって報知させるようにする事で、開閉錠選択モードの選択指定をより明確に知らせる事ができるようになる。【００７２】  更に、本発明のユーザ認識ロック装置ａ１は、前記指紋設定認識部ａ６或いは暗証番号設定認識部ａ７に不特定ユーザ認識モードが設けられており、該不特定ユーザ認識モードの設定により、前記指紋設定認識部ａ６或いは暗証番号設定認識部ａ７で設定認識されたユーザ以外の不特定ユーザが判別されても開閉錠ができるようにして、不知の来客や友人等による開閉錠を一時的に可能にする事ができる。【００７３】  前記不特定ユーザ認識モードの選択は、前記モード切替スイッチａ３７によって行なえるようにしており、該不特定ユーザ認識モードの選択及び解除を任意に行なえるようにしている。【００７４】  また、本発明のユーザ認識ロック装置ａ１は、前記指紋設定認識部ａ６或いは暗証番号設定認識部ａ７にユーザ仮認識モードが設けられており、該ユーザ仮認識モードの設定により、前記指紋設定認識部ａ６或いは暗証番号設定認識部ａ７で設定認識されたユーザ以外の仮ユーザの判別によっても開閉錠ができるようにしており、これにより、同居するユーザと業務上におけるユーザとの認識を区別して使用する事ができ、住居と事務所を共有する場合などに夫々区別利用する事ができる。【００７５】  尚、前記ユーザ仮認識モードの選択は、前記モード切替スイッチａ３７によって行えるようにしており、該不特定ユーザ認��モードの選択及び解除を任意に行なえるようにしている。【００７６】  更にまた、本発明のユーザ認識ロック装置ａ１には、ユーザグループモードを設けており、使用目的に応じて各使用目的に関係する個別のユーザグループ毎に指紋設定認識部ａ６或いは暗証番号設定認識部ａ７でその設定と認識を行わせる事ができ、ユーザグループモードに設定された複数のユーザグループを使用目的に応じて切り替えて開閉錠させるようにする事ができる。【００７７】  前記ユーザグループモードの選択は、前記モード切替スイッチａ３７によって行えるものであり、該不特定ユーザ認識モードの選択及び切替或いは解除を任意に行なえるようにしている。【００７８】  尚、前記制御記憶部ａ８にて設定記憶された鍵や指紋或いは暗証番号やその他モード等の情報は、オールリセット機能により全てクリアにする事ができ、再び新たな設定を行えるようにしている。
【図面の簡単な説明】
【００７９】
【図１】本発明のユーザ認識ロック装置の一実施形態を示す前方斜視図である。
【図２】本発明のユーザ認識ロック装置の一実施形態を示す後方斜視図である。
【図３】本発明のユーザ認識ロック装置を開閉体に取り付けた一実施形態を示す前方斜視図である。
【図４】本発明のユーザ認識ロック装置を開閉体に取り付けた一実施形態を示す正面図である。
【図５】本発明のユーザ認識ロック装置を取り付けた開閉体の開閉動作を示す一実施形態を示す前方斜視図である。
【図６】本発明のユーザ認識ロック装置のボタン蓋を開蓋状態の一実施形態を示す正面図である。
【図７】本発明のユーザ認識ロック装置の電源蓋を開蓋状態の一実施形態を示す背面図である。
【図８】本発明のユーザ認識ロック装置の鍵設定認識部に関する一実施形態を示す説明図である。
【図９】本発明のユーザ認識ロック装置の指紋設定認識部に関する一実施形態を示す説明図である。
【図１０】本発明のユーザ認識ロック装置の暗証番号設定認識部に関する一実施形態を示す説明図である。
【図１１】本発明のユーザ認識ロック装置の一実施形態を示す回路図である。
【図１２】従来技術図面である。
【図１３】従来技術図面である。
【符号の説明】
【００８０】      ａ１  ユーザ認識ロック装置
ａ２  外側構成体
ａ２１  連結部
ａ２２  外側ハンドル
ａ２３  ボタン蓋
ａ３  内側構成体
ａ３１  内側ハンドル
ａ３２  電源蓋
ａ３３  バッテリーケース
ａ３４  手動開閉つまみ
ａ３５  電動開閉ボタン
ａ３６  メニューボタン
ａ３７  モード切替スイッチ
ａ４  開閉体係止部
ａ４１  感知センサ
ａ４２  デッドボルト
ａ４３  デッドボルト駆動部
ａ４４  ラッチボルト
ａ５  鍵設定認識部
ａ５１  鍵
ａ５２  鍵挿入口
ａ５３  鍵口蓋
ａ６  指紋設定認識部
ａ６１  指接面部
ａ６２  指紋入力開始ボタン
ａ７  暗証番号設定認識部
ａ７１  キーボタン
ａ７１１  数字キー
ａ７１２  シャープキー
ａ７１３  アスタリスクキー
ａ８  制御記憶部
ａ８１  比較判別回路
ａ９  インターフェイス回路
ｂ１  開閉体
ｂ１１  回転軸部
ｂ１２  連結部嵌入口
ｂ２  非開閉体
ｂ２１  係止部受体
ｂ２１１  挿入穴部
ｂ２１２  当接部
【図１】
2005232945.tif 000003
【図２】
2005232945.tif 000004
【図３】
2005232945.tif 000005
【図４】
2005232945.tif 000006
【図５】
2005232945.tif 000007
【図６】
2005232945.tif 000008
【図７】
2005232945.tif 000009
【図８】
2005232945.tif 000010
【図９】
2005232945.tif 000011
【図１０】
2005232945.tif 000012
【図１１】
2005232945.tif 000013
【図１２】
2005232945.tif 000014
【図１３】
2005232945.tif 000015